(57)【要約】【課題】特殊なワッシャーやボルトを用いずとも容易にボルトの脱落を防止できる耐候性の高いケーブル固定金具を提供する。【解決手段】ケーブルを保持するための開閉可能な金属製のバンド２と、バンド２を固定系３に固定するための固定ボルト４と、バンド２の自由端に形成され自由端同士をボルト５で固定するための複数の鍔部６ａ、６ｂとを備えたケーブル固定金具１において、一方の鍔部６ａが、ボルト５を挿通するボルト孔１７と、ボルト孔１７よりも先端側に形成され、折り曲げられることでボルト５の頭部１８を覆うカバー部１９とを備え、カバー部１９は、カバー部１９の折り曲げ位置を規定するための折り曲げガイド２２と、カバー部１９が折り曲げガイド２２に沿って折り曲げられたときボルト５と同軸上に位置するように形成され、ドライバーの挿通を許容し、かつ、ボルト５の挿通を規制する孔径のドライバー通し孔２５とを備えたものである。【選択図】図１
2012239258.tif 000002
【特許請求の範囲】
【請求項１】
ケーブルを保持するための開閉可能な金属製のバンドと、
該バンドを固定系に固定するための固定ボルトと、
上記バンドの自由端に形成され、自由端同士をボルトで固定するための複数の鍔部とを備えたケーブル固定金具において、
一方の上記鍔部は、上記ボルトを挿通するボルト孔と、該ボルト孔よりも先端側に形成され、折り曲げられることで上記ボルトの頭部を覆うカバー部とを備え、
上記カバー部は、該カバー部の折り曲げ位置を規定するための折り曲げガイドと、上記カバー部が上記折り曲げガイドに沿って折り曲げられたとき上記ボルトと同軸上に位置するように形成され、ドライバーの挿通を許容し、かつ、上記ボルトの挿通を規制する孔径のドライバー通し孔とを備えたことを特徴とするケーブル固定金具。
【請求項２】
上記ボルトは、ボルト本体と該ボルト本体に組み込まれたワッシャーとを備え、上記ドライバー通し孔は、上記ワッシャーより小径に形成されている請求項１記載のケーブル固定金具。
【請求項３】
上記カバー部は、少なくとも２つの折り曲げ位置を有し、
上記折り曲げガイドは、２つの折り曲げ位置に亘って形成された矩形状の貫通孔部と、該貫通孔部から上記カバー部の幅方向に延びて形成され、折り曲げ位置を決めるための位置決め用切欠部とを備える請求項１又は２記載のケーブル固定金具。
【発明の詳細な説明】
【技術分野】
【０００１】
本発明は、ケーブルを固定するためのケーブル固定金具に関するものである。
【背景技術】
【０００２】
高周波同軸ケーブル等のケーブルを固定するケーブル固定金具としては、図７及び図８に示すものが知られている。このケーブル固定金具３０は、弧状のバンド３１と、このバンド３１を梁等の固定系に固定するための固定ボルト３２とを備え、バンド３１の内周側にケーブル３３を収容したのち、バンド３１の自由端同士をボルト（ナベ小ネジ）３４で締結することでケーブル３３を支持するようになっている。
【０００３】
また、ボルト３４はバンド３１の一方の自由端に形成された鍔部３５に挿通されており、ボルト３４のネジ部３６には、ボルト３４が鍔部３５から脱落するのを防止するためのポリエステル製の樹脂ワッシャー３７が装着されている。
【先行技術文献】
【特許文献】
【０００４】
【特許文献１】特開２０１１−１２７３３号公報
【特許文献２】特開２０１０−４８２８９号公報
【発明の概要】
【発明が解決しようとする課題】
【０００５】
しかしながら、このケーブル固定金具３０では、ボルト３４を必要以上に緩み方向へ回転させるとボルト３４が樹脂ワッシャー３７から脱落落下するという課題があった。また、ケーブル固定金具３０を屋外で使用する場合、樹脂ワッシャー３７が紫外線劣化により破損し、ケーブル固定金具３０にケーブル３３を着脱するときにボルト３４がバンド３１から脱落するなど、長年の使用に耐えることができないという課題があった。
【０００６】
そこで、本発明の目的は、上記課題を解決し、脱落防止用の特殊なワッシャーやボルトを用いずとも容易にボルトの脱落を防止できるケーブル固定金具を提供することにある。
【課題を解決するための手段】
【０００７】
上記課題を解決するために本発明は、ケーブルを保持するための開閉可能な金属製のバンドと、該バンドを固定系に固定するための固定ボルトと、上記バンドの自由端に形成され、自由端同士をボルトで固定するための複数の鍔部とを備えたケーブル固定金具において、一方の上記鍔部は、上記ボルトを挿通するボルト孔と、該ボルト孔よりも先端側に形成され、折り曲げられることで上記ボルトの頭部を覆うカバー部とを備え、上記カバー部は、該カバー部の折り曲げ位置を規定するための折り曲げガイドと、上記カバー部が上記折り曲げガイドに沿って折り曲げられたとき上記ボルトと同軸上に位置するように形成され、ドライバーの挿通を許容し、かつ、上記ボルトの挿通を規制する孔径のドライバー通し孔とを備えたものである。
【０００８】
上記ボルトは、ボルト本体と該ボルト本体に組み込まれたワッシャーとを備え、上記ドライバー通し孔は、上記ワッシャーより小径に形成されているとよい。
【０００９】
上記カバー部は、少なくとも２つの折り曲げ位置を有し、上記折り曲げガイドは、２つの折り曲げ位置に亘って形成された矩形状の貫通孔部と、該貫通孔部から上記カバー部の幅方向に延びて形成され、折り曲げ位置を決めるための位置決め用切欠部とを備えるとよい。
【発明の効果】
【００１０】
本発明によれば、脱落防止用の特殊なワッシャーやボルトを用いずとも容易にボルトの脱落を防止できる。
【図面の簡単な説明】
【００１１】
【図１】本発明の実施の形態に係るケーブル固定金具の斜視図である。
【図２】図１の正面図である。
【図３】図１の要部展開平面図である。
【図４】バンドの鍔部にボルトを装着する状態の説明図である。
【図５】鍔部同士をボルトで締結する状態の説明図である。
【図６】他の実施の形態を示すバンドの要部展開平面図である。
【図７】従来のケーブル固定金具の斜視図である。
【図８】（ａ）は図７の正面図であり、（ｂ）は図７の平面図である。
【発明を実施するための形態】
【００１２】
図１及び図２に示すように、ケーブル固定金具１は、ケーブルを保持するための開閉可能な金属製のバンド２と、バンド２を固定系３に固定するための固定ボルト４と、バンド２の自由端に形成され自由端同士をボルト５で固定するための鍔部６ａ、６ｂとを備える。
【００１３】
バンド２は、正面視略円形の弧状に形成されると共に上下二つ割りに形成されており、下側の下バンド部７と上側の上バンド部８とが蝶番９を介して回動自在に連結されることで開閉自在に形成されている。上バンド部８と下バンド部７は、それぞれステンレス材からなり、帯状のステンレス板をプレス加工して形成されている。
【００１４】
下バンド部７は、バンド２が固定系３に固定されるとき固定系３に着座する着座部１０を有する。着座部１０は、下バンド部７の下端部を屈曲して形成されており、下方に矩形状に突出すると共に下端を平坦に形成されている。また、着座部１０の内周側には、固定ボルト４の頭部１１を収容すると共に頭部１１の側面に当接して頭部１１の回り止めをする頭部収容部１２が形成されている。
【００１５】
上バンド部８は、下バンド部７より薄く軽量に形成されている。蝶番９は、下バンド部７の端部に幅方向の中央を外周側に突出して形成されると共に略筒状に屈曲して形成された受部１３と、上バンド部８の端部に形成され受部１３内に回転可能に挿通される軸部１４とからなる。軸部１４は、上バンド部８の端部に臨む位置に矩形状の孔１５を形成することで上バンド部８の端部に形成されている。
【００１６】
鍔部６ａ、６ｂは、上バンド部８と下バンド部７のもう一方の端部に略径方向に延びて形成されており、ボルト５で締結されたときそれぞれ略水平に延びるようになっている。下バンド部７の鍔部６ｂには、ボルト５に螺合されるバーリングタップ１６が形成されている。
【００１７】
図１及び図３に示すように、上バンド部８の鍔部６ａには、ボルト５を挿通するためのボルト孔１７が形成されると共に、ボルト５の頭部１８を覆うカバー部１９がボルト孔１７よりも先端側に位置して形成されている。カバー部１９は、鍔部６ａにこれを延長して形成されており、基端を上方に折り曲げられると共に基端と先端の間を鍔部６ａ側に折り曲げられることでボルト５の頭部１８を覆うようになっている。カバー部１９は、上方に折り曲げられると共に鍔部６ａに対して直角に起立する起立部２０と、起立部２０の上端から鍔部６ａ側に直角に折り曲げられボルト５の上方を覆う天井部２１とを備える。
【００１８】
カバー部１９には、カバー部１９の折り曲げ位置を規定するための折り曲げガイド２２が形成されている。折り曲げガイド２２は、カバー部１９の基端側に、延長方向に延びると共に幅方向に延びる矩形状に形成された貫通孔部２３と、貫通孔部２３から幅方向に延びて形成され折り曲げ位置を決めるための位置決め用切欠部２４とからなる。貫通孔部２３は、２つの折り曲げ位置に亘って形成されている。位置決め用切欠部２４は、２つの折り曲げ位置にそれぞれ形成されると共に、貫通孔部２３の両側から幅方向に延びるように形成されており、カバー部１９に折り曲げ方向の力が加わったとき、カバー部１９が自然と折り曲げ位置で屈曲するようになっている。位置決め用切欠部２４の端部は、それぞれ角を丸めて形成されており、クラックの発生を防止するようになっている。
【００１９】
また、カバー部１９の天井部２１には、ドライバー２６（図５参照）の挿通を許容し、かつ、ボルト５の挿通を規制する孔径のドライバー通し孔２５が形成されている。ドライバー通し孔２５は、カバー部１９が折り曲げガイド２２に沿って折り曲げられたときボルト５と同軸上に位置するように形成されており、ドライバー通し孔２５にドライバー２６を通すことでドライバー２６でボルト５を締め、又は緩められるようになっている。ボルト５は、ボルト本体５ａにワッシャー５ｂを組み込んで形成された組込ネジ（Ｍ４）からなる。ドライバー通し孔２５は、ワッシャー５ｂより小径に形成されている。
【００２０】
起立部２０は、ボルト孔１７に挿通されたボルト５の頭部１８が天井部２１から離間できるような長さに形成されており、ボルト５の傾動を許容するようになっている。
【００２１】
次に本実施の形態の作用を述べる。
【００２２】
ケーブル固定金具１でケーブルを固定する場合、まず、固定系３にケーブル固定金具１を固定ボルト４で固定する。
【００２３】
次に、図４に示すように、鍔部６ａのボルト孔１７に上方からボルト５を挿入する。このとき、カバー部１９は、折り曲げガイド２２の基端側の位置決め用切欠部２４に沿って予め折り曲げられており、全体が起立されている。このため、カバー部１９がボルト５の挿入を邪魔することはない。
【００２４】
この後、カバー部１９を折り曲げガイド２２の先端側の位置決め用切欠部２４に沿って折り曲げる。図３に示すように、位置決め用切欠部２４の両側に臨むカバー部１９の幅Ｗ1は、貫通孔部２３の両側に臨むカバー部１９の幅Ｗ2より狭く形成されているため、カバー部１９は両側の２つの位置決め用切欠部２４を結ぶ線に沿って自然と折れ曲がる。これにより、天井部２１がボルト５の頭部１８の上方を間隔を隔てて覆うと共に、ドライバー通し孔２５がボルト５と同軸上に位置される。ドライバー通し孔２５は、ボルト５より小径に形成されているため、ボルト５はボルト孔１７からの脱落を阻止される。
【００２５】
しかるのち、図５に示すように、バンド２の内周側にケーブルを収容し、鍔部６ａ、６ｂ同士をボルト５で締結する。このとき、鍔部６ａ、６ｂ同士は必ずしも平行になるとは限らず、一方の鍔部６ａに対して他方の鍔部６ｂが傾斜することもある。しかし、ボルト５の頭部１８と天井部２１との間には間隙が形成されており、ボルト５には、想定される鍔部６ａ、６ｂ同士の傾斜角度に応じた角度の傾動が許容されているため、ドライバー２６をドライバー通し孔２５に通すと共にボルト５に嵌合させることでドライバー２６の操作でボルト５を傾動させることができ、ボルト５を容易にバーリングタップ１６に螺合でき、鍔部６ａ、６ｂ同士を容易に締結できる。
【００２６】
また、メンテナンス等のためにケーブル固定金具１からケーブルを取り外す場合、ドライバー通し孔２５にドライバー２６を通し、ボルト５を緩める。このとき、ボルト５を必要以上に回転させてもボルト５はカバー部１９によって上方への移動を規制されているためボルト孔１７から抜け落ちることはない。また、ケーブル固定金具１を屋外で長年使用した場合であってもカバー部１９はステンレス材からなるため樹脂のように紫外線劣化することはなく、ボルト５の脱落防止機能が損なわれることはない。
【００２７】
このように、上バンド部８の鍔部６ａが、ボルト５を挿通するボルト孔１７と、ボルト孔１７よりも先端側に形成され、折り曲げられることでボルト５の頭部１８を覆うカバー部１９とを備え、カバー部１９は、カバー部１９の折り曲げ位置を規定するための折り曲げガイド２２と、カバー部１９が折り曲げガイド２２に沿って折り曲げられたときボルト５と同軸上に位置するように形成され、ドライバー２６の挿通を許容し、かつ、ボルト５の挿通を規制する孔径のドライバー通し孔２５とを備えるものとしたため、ケーブル固定金具１にケーブルを着脱するとき、従来のように樹脂ワッシャー５ｂの脱落を気にしながら緩み方向に回転する必要はなく、恒久的にボルト５の脱落を防止できる。また、ボルト５のネジサイズに合わせて樹脂ワッシャーを製作する必要がなく、脱落防止用の特殊なワッシャーやボルトを用いる必要もないため、ケーブル固定金具１を安価にできる。そして、樹脂を使わず、ステンレス材からなるカバー部１９でボルト５の落下を防止できるため、屋外で長年使用してもボルト脱落防止機能が損なわれず、ケーブル固定金具１の耐久性を向上させることができる。
【００２８】
また、ボルト５が、ボルト本体５ａとボルト本体５ａに組み込まれたワッシャー５ｂとを備え、ドライバー通し孔２５は、ワッシャー５ｂより小径に形成されているものとしたため、ボルト５を市販の組込ネジにすることができ、安価にできる。また、ドライバー通し孔２５より大きなワッシャー５ｂを有する組込ネジであればネジサイズに係わらず用いることができ、ボルト５を自由に選択することができる。
【００２９】
カバー部１９は、２つの折り曲げ位置を有し、折り曲げガイド２２は、２つの折り曲げ位置に亘って形成された矩形状の貫通孔部２３と、貫通孔部２３からカバー部１９の幅方向に延びて形成され、折り曲げ位置を決めるための位置決め用切欠部２４とを備えるものとしたため、簡単な構造で折り曲げ位置を決めることができる。また、カバー部１９の外周形状を凹凸のない滑らかな矩形状にでき、折り曲げガイド２２が作業者の衣服や工具などに引っ掛かるのを防ぐことができる。またさらに、ケーブル固定金具１の軽量化ができる。
【００３０】
また、バンド２がステンレス材からなるものとし、バンド２に一体に形成されるカバー部１９もステンレス材からなるとしたため、ケーブル固定金具１の耐久性を更に向上させることができる。
【００３１】
カバー部１９が、頭部１８から離間できるものとしたため、鍔部６ａ、６ｂ同士を締結するときボルト５の傾動を許容でき、作業性が損なわれるのを防止できる。
【００３２】
なお、折り曲げガイド２２は、上述のものに限るものではない。折り曲げガイド２２は、折り曲げ位置を曲げに弱い構造にすればよく、曲げ位置に丸孔を形成するものであってもよく、図６に示すように、カバー部２７の両側に切れ込み２８を形成してなるものであってもよい。この場合、切れ込み２８は２つの折り曲げ位置間に形成されると共に折り曲げ位置で大きく切れ込むように形成されるとよい。また、折り曲げガイド２２は、カバー部１９の片面又は両面に幅方向に延びる溝を形成してなるものであってもよい。
【００３３】
また、固定系３に１本の固定ボルト４で固定されるケーブル固定金具１について説明したが、バンド２の幅を広く形成し、複数本の固定ボルト４で固定されるものとしてもよい。
【００３４】
カバー部１９は、鍔部６ａのボルト孔１７にボルト５を挿入するときに、折り曲げガイド２２の基端側の位置決め用切欠部２４に沿って予め折り曲げられており、全体が起立されているものとしたが、これに限るものではない。図３に示すように、鍔部６ａと同一平面上に位置するものとしてもよい。
【００３５】
また、バンド２は、上下に二つ割りに形成されたものについて説明したが、左右に二つ割りに形成されたものであってもよく、略Ｃ字状に形成され蝶番９を有しないものであってもよい。
【００３６】
上バンド部８、下バンド部７、鍔部６ａ、６ｂ及びカバー部１９はステンレス材からなるものとしたが、ケーブルの支持に必要な強度と耐食性を兼ね備えた金属であれば他の金属からなるものであってもよい。
【００３７】
カバー部１９は、上側の鍔部６ａに設けられるものとしたが、下側の鍔部６ｂに設けられるものとしてもよい。この場合、ボルト孔１７は下側の鍔部６ｂに形成し、バーリングタップ１６は上側の鍔部６ａに形成するとよい。
【００３８】
また、鍔部６ｂにバーリングタップ１６を形成するものとしたがこれに限るものではない。ナット等、ボルトに螺合する雌ねじ部を設けるものとしてもよい。
【符号の説明】
【００３９】
１  ケーブル固定金具
２  バンド
３  固定系
４  固定ボルト
５  ボルト
５ａ  ボルト本体
５ｂ  ワッシャー
６ａ  鍔部
６ｂ  鍔部
１８  頭部
１９  カバー部
２２  折り曲げガイド
２３  貫通孔部
２４  位置決め用切欠部
２５  ドライバー通し孔
【図３】
2012239258.tif 000003
【図５】
2012239258.tif 000004
【図６】
2012239258.tif 000005
【図１】
2012239258.tif 000006
【図２】
2012239258.tif 000007
【図４】
2012239258.tif 000008
【図７】
2012239258.tif 000009
【図８】
2012239258.tif 000010